【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
印刷装置の種類ごとにその種類に応じた付加マークを規定するマーク情報を記憶したマーク情報記憶手段と、
ページ記述言語で記述された印刷対象の印刷データと、出力先の第１の印刷装置の指定と、を含む第１の印刷指示を受け取った場合、前記印刷データに対して識別情報を付与し、解釈装置による前記印刷データの解釈により得られた解釈結果データを、前記第１の印刷装置の種類に応じた前記マーク情報記憶手段に記憶された前記マーク情報に基づき作成された付加マークと合成して面付けデータを作成し、作成した面付けデータを前記第１の印刷装置に供給して印刷させると共に、前記解釈結果データを、前記付与した識別情報に対応づけて保存装置に保存する第１の印刷制御手段と、
印刷対象の印刷データの識別情報と、出力先の第２の印刷装置の指定と、を含む第２の印刷指示を受け取った場合、当該識別情報に対応づけて保存された解釈結果データを前記保存装置から取得し、取得した解釈結果データと、前記第２の印刷装置の種類に応じた前記マーク情報記憶手段に記憶された前記マーク情報に基づき作成された付加マークと、を合成して面付けデータを作成し、作成した面付けデータを前記第２の印刷装置に供給して印刷させる第２の印刷制御手段と、
を備える印刷制御装置。
【請求項２】
前記第１の印刷制御手段は、更に、前記第１の印刷装置の種類を表す種類情報と、前記第１の印刷装置の種類に応じた前記マーク情報に基づき作成された付加マークとを含む第１の出力履歴情報を、前記付与した識別情報に対応づけて前記保存装置に保存し、
前記第２の印刷制御手段は、前記第２の印刷指示にて指定された前記第２の印刷装置の種類が、前記第２の印刷指示に指定された前記識別情報に対応する前記第１の出力履歴情報における前記第１の印刷装置の種類と同じである場合、前記第２の印刷装置の種類に応じた前記マーク情報に基づき付加マークを作成する代わりに、前記第２の印刷指示にて指定された前記識別情報に対応づけて保存された前記第１の出力履歴情報から付加マークを取得し、取得した付加マークと、前記識別情報に対応する解釈結果データとを合成して前記面付けデータを作成する、
ことを特徴とする請求項１に記載の印刷制御装置。
【請求項３】
前記第２の印刷制御手段は、前記第２の印刷指示にて指定された前記第２の印刷装置の種類が、第２の印刷指示に指定された前記識別情報に対応づけて前記保存装置に保存された前記第１の印刷装置の種類と異なる場合、前記第２の印刷装置の種類に応じた前記マーク情報が表す付加マークのうち、前記第１の印刷装置の種類に応じた前記マーク情報が表す付加マークと同じマークについては、前記第２の印刷指示にて指定された前記識別情報に対応づけて保存された前記第１の出力履歴情報から当該マークを取得し、前記第１の印刷装置の種類に応じた前記マーク情報が表す付加マークと異なるマークについては、前記第２の印刷装置の種類に応じた前記マーク情報に基づき当該マークを生成し、前記取得したマーク及び前記生成したマークを前記識別情報に対応する解釈結果データと合成して前記面付けデータを作成する、
ことを特徴とする請求項１又は２に記載の印刷制御装置。
【請求項４】
前記第２の印刷制御手段は、
更に、前記第２の印刷指示に応じて前記面付けデータを作成した場合に、前記第２の印刷装置の種類を表す種類情報と、前記第２の印刷装置の種類に応じた前記マーク情報に基づき作成された付加マークとを含む第２の出力履歴情報を、前記付与した識別情報に対応づけて前記保存装置に保存すると共に、
印刷対象の印刷データの識別情報と、出力先の第３の印刷装置の指定と、を指定する第３の印刷指示を受けた場合に、当該識別情報に対応づけて保存された解釈結果データを前記保存装置から取得すると共に、当該識別情報に対応づけて保存された前記第１及び第２の出力履歴情報のうちいずれを参照するかの指定をユーザから受け取り、前記第３の印刷指示にて指定された前記第３の印刷装置の種類が、前記第１及び第２の出力履歴情報のうちユーザが指定した方に含まれる印刷装置の種類と同じである場合、前記第３の印刷装置の種類に応じた前記マーク情報に基づき付加マークを作成する代わりに、前記第１及び第２の出力履歴情報のうちユーザが指定した方に含まれる付加マークを取得し、取得した付加マークと、前記識別情報に対応する解釈結果データとを合成して前記面付けデータを作成する、
請求項２又は３に記載の印刷制御装置。
【請求項５】
コンピュータを、
印刷装置の種類ごとにその種類に応じた付加マークを規定するマーク情報を記憶したマーク情報記憶手段、
ページ記述言語で記述された印刷対象の印刷データと、出力先の第１の印刷装置の指定と、を含む第１の印刷指示を受け取った場合、前記印刷データに対して識別情報を付与し、解釈装置による前記印刷データの解釈により得られた解釈結果データを、前記第１の印刷装置の種類に応じた前記マーク情報記憶手段に記憶された前記マーク情報に基づき作成された付加マークと合成して面付けデータを作成し、作成した面付けデータを前記第１の印刷装置に供給して印刷させると共に、前記解釈結果データを、前記付与した識別情報に対応づけて保存装置に保存する第１の印刷制御手段、
印刷対象の印刷データの識別情報と、出力先の第２の印刷装置の指定と、を含む第２の印刷指示を受け取った場合、当該識別情報に対応づけて保存された解釈結果データを前記保存装置から取得し、取得した解釈結果データと、前記第２の印刷装置の種類に応じた前記マーク情報記憶手段に記憶された前記マーク情報に基づき作成された付加マークと、を合成して面付けデータを作成し、作成した面付けデータを前記第２の印刷装置に供給して印刷させる第２の印刷制御手段、
として機能させるためのプログラム。
【請求項６】
印刷装置の種類ごとにその種類に応じた付加マークを規定するマーク情報を記憶したマーク情報記憶手段と、
ページ記述言語で記述された印刷データを受け取り、受け取った印刷データに対して識別情報を付与し、解釈装置による当該印刷データの解釈により得られた解釈結果データを、付与した識別情報に対応づけて保存装置に登録する登録手段と、
印刷対象の印刷データの識別情報の指定と出力先の印刷装置の指定とを受け付け、前記指定された出力先の印刷装置の種類に応じたマーク情報に基づき生成された付加マークを、前記指定された印刷データの識別情報に対応する前記解釈結果データと合成して面付けデータを作成し、作成した面付けデータを前記指定された出力先の印刷装置に供給する付加マーク合成手段と、
を備える印刷制御装置。
【請求項７】
コンピュータを、
印刷装置の種類ごとにその種類に応じた付加マークを規定するマーク情報を記憶したマーク情報記憶手段、
ページ記述言語で記述された印刷データを受け取り、受け取った印刷データに対して識別情報を付与し、解釈装置による当該印刷データの解釈により得られた解釈結果データを、付与した識別情報に対応づけて保存装置に登録する登録手段、
印刷対象の印刷データの識別情報の指定と出力先の印刷装置の指定とを受け付け、前記指定された出力先の印刷装置の種類に応じたマーク情報に基づき生成された付加マークを、前記指定された印刷データの識別情報に対応する前記解釈結果データと合成して面付けデータを作成し、作成した面付けデータを前記指定された出力先の印刷装置に供給する付加マーク合成手段、
として機能させるためのプログラム。
【手続補正２】
【補正対象書類名】明細書
【補正対象項目名】００１３
【補正方法】変更
【補正の内容】
【００１３】
請求項１に係る発明は、印刷装置の種類ごとにその種類に応じた付加マークを規定するマーク情報を記憶したマーク情報記憶手段と、ページ記述言語で記述された印刷対象の印刷データと、出力先の第１の印刷装置の指定と、を含む第１の印刷指示を受け取った場合、前記印刷データに対して識別情報を付与し、解釈装置による前記印刷データの解釈により得られた解釈結果データを、前記第１の印刷装置の種類に応じた前記マーク情報記憶手段に記憶された前記マーク情報に基づき作成された付加マークと合成して面付けデータを作成し、作成した面付けデータを前記第１の印刷装置に供給して印刷させると共に、前記解釈結果データを、前記付与した識別情報に対応づけて保存装置に保存する第１の印刷制御手段と、印刷対象の印刷データの識別情報と、出力先の第２の印刷装置の指定と、を含む第２の印刷指示を受け取った場合、当該識別情報に対応づけて保存された解釈結果データを前記保存装置から取得し、取得した解釈結果データと、前記第２の印刷装置の種類に応じた前記マーク情報記憶手段に記憶された前記マーク情報に基づき作成された付加マークと、を合成して面付けデータを作成し、作成した面付けデータを前記第２の印刷装置に供給して印刷させる第２の印刷制御手段と、を備える印刷制御装置である。
【手続補正３】
【補正対象書類名】明細書
【補正対象項目名】００１６
【補正方法】変更
【補正の内容】
【００１６】
請求項４に係る発明は、前記第２の印刷制御手段は、更に、前記第２の印刷指示に応じて前記面付けデータを作成した場合に、前記第２の印刷装置の種類を表す種類情報と、前記第２の印刷装置の種類に応じた前記マーク情報に基づき作成された付加マークとを含む第２の出力履歴情報を、前記付与した識別情報に対応づけて前記保存装置に保存すると共に、印刷対象の印刷データの識別情報と、出力先の第３の印刷装置の指定と、を指定する第３の印刷指示を受けた場合に、当該識別情報に対応づけて保存された解釈結果データを前記保存装置から取得すると共に、当該識別情報に対応づけて保存された前記第１及び第２の出力履歴情報のうちいずれを参照するかの指定をユーザから受け取り、前記第３の印刷指示にて指定された前記第３の印刷装置の種類が、前記第１及び第２の出力履歴情報のうちユーザが指定した方に含まれる印刷装置の種類と同じである場合、前記第３の印刷装置の種類に応じた前記マーク情報に基づき付加マークを作成する代わりに、前記第１及び第２の出力履歴情報のうちユーザが指定した方に含まれる付加マークを取得し、取得した付加マークと、前記識別情報に対応する解釈結果データと、を合成して前記面付けデータを作成する、請求項２又は３に記載の印刷制御装置である。
【手続補正４】
【補正対象書類名】明細書
【補正対象項目名】００１７
【補正方法】変更
【補正の内容】
【００１７】
請求項５に係る発明は、コンピュータを、印刷装置の種類ごとにその種類に応じた付加マークを規定するマーク情報を記憶したマーク情報記憶手段、ページ記述言語で記述された印刷対象の印刷データと、出力先の第１の印刷装置の指定と、を含む第１の印刷指示を受け取った場合、前記印刷データに対して識別情報を付与し、解釈装置による前記印刷データの解釈により得られた解釈結果データを、前記第１の印刷装置の種類に応じた前記マーク情報に基づき作成された付加マークと合成して面付けデータを作成し、作成した面付けデータを前記第１の印刷装置に供給して印刷させると共に、前記解釈結果データを、前記付与した識別情報に対応づけて保存装置に保存する第１の印刷制御手段、印刷対象の印刷データの識別情報と、出力先の第２の印刷装置の指定と、を含む第２の印刷指示を受け取った場合、当該識別情報に対応づけて保存された解釈結果データを前記保存装置から取得し、取得した解釈結果データと、前記第２の印刷装置の種類に応じた前記マーク情報に基づき作成された付加マークと、を合成して面付けデータを作成し、作成した面付けデータを前記第２の印刷装置に供給して印刷させる第２の印刷制御手段、として機能させるためのプログラムである。